【手続補正書】
【提出日】平成20年3月19日(2008.3.19)
【手続補正１】
【補正対象書類名】明細書
【補正対象項目名】特許請求の範囲
【補正方法】変更
【補正の内容】
【特許請求の範囲】
【請求項１】  第１端部と、これから長手方向に間隔を隔てた第２端部と、前記第１端と前記第２端部との間に延びる長手方向軸線とを有するアウトソールであって、
ａ）第１材料から形成される第１層を有し、該第１層は、
第１表面と、該第１表面の反対側の第２表面とを備え、かつ、
前記第１表面から前記第２表面まで延びる、互いに間隔を隔てた複数の第１孔を構成し、
ｂ）第２材料から形成される第２層を有し、該第２層は、前記第１層の第１表面に隣接するベースと、該ベースから関連する前記第１孔を通り、前記第１層の第２表面から外方に延びる複数の突出部とを備え、各突出部は、
ｉ.尖った自由端と、
ｉｉ.前記第２表面から前記自由端まで延びている稜線部とを有し、該稜線部は前記長手方向軸線に対して実質的に平行であり、前記第２材料が前記ベースから前記自由端まで連続し、途切れない、
アウトソール。
【請求項２】  前記各突出部が、尖った自由端を含む円錐状部分を有する、請求項１記載のアウトソール。
【請求項３】  前記各突出部は前記第１層の第２表面に係合する輪郭を有し、該輪郭は、丸い端部とその反対側のテーパ状端部とにより形成された涙滴状の形状を有し、前記各突出部の丸い端部はアウトソールの前記第１端部により近く、前記各突出部のテーパ状端部は前記アウトソールの第２端部により近い、請求項２記載のアウトソール。
【請求項４】  前記各輪郭は、前記第１孔の直径より大きな領域を構成し、前記各第１孔全体をカバーする、請求項３記載のアウトソール。
【請求項５】  前記突出部は前記アウトソールの表面積の５０％以下の面積をカバーする、請求項４記載のアウトソール。
【請求項６】  前記第１材料および第２材料は熱可塑性ポリウレタンである、請求項４記載のアウトソール。
【請求項７】  アウトソールは、第１端部から第２端部まで、つま先セクション、前足セクション、脛骨セクションおよび踵セクションによって形成され、前記第１材料は第１ショアＡデュロメータ硬度を有し、前記第２材料は第２ショアＡデュロメータ硬度を有し、つま先セクションから脛骨セクションにかけてのアウトソールについて、第１ショアＡデュロメータ硬度は第２ショアＡデュロメータ硬度より大きい、請求項４記載のアウトソール。
【請求項８】  つま先セクションから脛骨セクションにかけてのアウトソールについて、第１ショアＡデュロメータ硬度は８０〜９０点の間、第２ショアＡデュロメータ硬度は７０〜８０点の間にある、請求項７記載のアウトソール。
【請求項９】  つま先セクションから脛骨セクションにかけてのアウトソールについて、第１ショアＡデュロメータ硬度は８５点、第２ショアＡデュロメータ硬度は７５点である、請求項８記載のアウトソール。
【請求項１０】  踵セクションについての第２ショアＡデュロメータ硬度は、第１ショアＡデュロメータ硬度より大きい、請求項９記載のアウトソール。
【請求項１１】  前記第１層は、長手方向に互いに間隔を隔てた少なくとも２つの部片を有し、これらの部片間にベースが延びて少なくとも１つのヒンジを形成する、請求項１記載のアウトソール。
【請求項１２】  前記各部片は、横方向に間隔を隔てた側部と、前端部と、該前端部から長手方向に間隔を隔てた後端部とを有し、前記突出部は、一方の側部から他方の側部まで各部片を横切って、前記前端部から後端部まで前記各部片に沿って、互いに間隔を隔てた位置に配置されている、請求項１１記載のアウトソール。
【請求項１３】  前記第１層は長手方向に間隔を隔てた少なくとも３つの部片を有し、前記ベースはこれらの部片間に延びて２つのヒンジを形成する、請求項１２記載のアウトソール。
【請求項１４】  前記アウトソールは、前記第１端部から第２端部までの長さを有し、前記ヒンジは、着用者の中足骨の下に位置するように、前記第１端部からの前記アウトソールの長さの３０〜３５％の間の位置にある、請求項１３記載のアウトソール。
【請求項１５】  前記第１層が、
ａ）前記第１表面と第２表面との間で前記第１層を通って延びる互いに間隔を隔てた複数の第２孔と、
ｂ）複数の受容器とを有し、各受容器には雌ねじ付きボアが設けられ、前記受容器は、各雌ねじ付きボアが滑り止め部材を螺合により受け入れることができるように、前記第２孔内に配置されている、請求項１２記載のアウトソール。
【請求項１６】  前記ベースと前記突出部とが、前記ベースから前記尖った自由端まで、一体に形成されている、請求項１記載のアウトソール。
【請求項１７】  前記第２層が単一部品である、請求項１記載のアウトソール。
【請求項１８】  前記第２層が前記第１表面の相当な部分をカバーする、請求項１記載のアウトソール。
【請求項１９】  前記ベースと前記突出部が、前記第２材料を前記第１層の第１孔に成型することによって形成される、請求項１記載のアウトソール。
【請求項２０】  第１端部と、これから間隔を隔てた第２端部と、前記第１端と第２端部との間に延びる長手方向軸線とを有するアウトソールであって、
ａ）第１材料から形成される第１層を有し、該第１層は、
第１表面と、これと反対側の第２表面とを備え、かつ、
前記第１表面から第２表面まで延びる、互いに間隔を隔てた複数の第１孔を構成し、該各第１孔が或る直径を有し、
長手方向に間隔を隔てた少なくとも２つの部片を備え、
ｂ）第２材料から形成される第２層を有し、該第２層は、第１層の第１表面に隣接するベースと、該ベースから関連する第１孔を通り、前記第１層の第２表面から外方に延びる複数の突出部とを備え、前記ベースは前記第１層の前記部片間を長手方向に延び、各突出部は第２表面と係合する輪郭を有し、該輪郭は前記第１孔の直径よりも大きな領域をカバーし、前記第２材料が前記ベースから前記核突出部の前記自由端まで連続し、途切れない、
アウトソール。
【請求項２１】  前記第１層の部片間に延びる前記ベースの一部が少なくとも１つのヒンジを形成する、請求項２０記載のアウトソール。
【請求項２２】  前記第１層が長手方向に間隔を隔てた少なくとも３つの部片を有し、前記ベースが前記部片間を長手方向に延びて２つのヒンジを形成する、請求項２０記載のアウトソール。
【請求項２３】  前記該輪郭は涙滴状の形状を有し、該涙滴状の形状は、丸い端部とその反対側のテーパ状端部とにより形成され、前記各突出部の丸い端部はアウトソールの前記第１端部により近く、前記各突出部のテーパ状端部は前記アウトソールの第２端部により近い、請求項２２記載のアウトソール。
【請求項２４】  前記各部片は、横方向に間隔を隔てた側部と、前端部と、該前端部から長手方向に間隔を隔てた後端部とを有し、前記突出部は、一方の側部から他方の側部まで各部片を横切って、前記前端部から後端部まで各部片に沿って、互いに間隔を隔てた位置に配置されている、請求項２２記載のアウトソール。
【請求項２５】  前記第１材料および第２材料は熱可塑性ポリウレタンである、請求項２４記載のアウトソール。
【請求項２６】  前記アウトソールは、前記第１端部から第２端部まで、つま先セクション、前足セクション、脛骨セクションおよび踵セクションによって構成され、前記第１材料は第１ショアＡデュロメータ硬度を有し、前記第２材料は第２ショアＡデュロメータ硬度を有し、つま先セクションから脛骨セクションにかけてのアウトソールについて、第１ショアＡデュロメータ硬度は第２ショアＡデュロメータ硬度より大きい、請求項２５記載のアウトソール。
【請求項２７】  前記つま先セクションから脛骨セクションにかけてのアウトソールについて、第１ショアＡデュロメータ硬度は８０〜９０点の間、第２ショアＡデュロメータ硬度は７０〜８０点の間にある、請求項２６記載のアウトソール。
【請求項２８】  前記つま先セクションから脛骨セクションにかけてのアウトソールについて、前記第１ショアＡデュロメータ硬度は８５点、前記第２ショアＡデュロメータ硬度は７５点である、請求項２７記載のアウトソール。
【請求項２９】  前記踵セクションについての第２ショアＡデュロメータ硬度は、第１ショアＡデュロメータ硬度より大きい、請求項２８記載のアウトソール。
【請求項３０】 前記各第１孔が或る直径を有し、前記各突出部が前記第２表面と係合された稜線部を有し、該稜線部の最小幅が前記第１孔の直径よりも大きい、請求項２０記載のアウトソール。
【請求項３１】 前記ベースと前記突出部とが、前記ベースから各突出部の前記自由端まで、一体に形成されている、請求項２０記載のアウトソール。
【請求項３２】 前記第２層が単一部品である、請求項２０記載のアウトソール。
【請求項３３】 前記第２層が前記第１表面の相当な部分をカバーする、請求項２０記載のアウトソール。
【請求項３４】 前記ベースと前記突出部が、前記第２材料を前記第１層の第１孔に成型することによって形成される、請求項２０記載のアウトソール。